(57)【要約】【課題】工事用足場において、施工面が曲面である場合に、曲率の変化が緩やかであるものにも、また、急激に変化するものにも容易に対応できるようにする。【解決手段】工事用足場において、左右に隣接する建て枠１１を左右方向軸線から必要な角度を設けて、又は左右方向軸線と一致させて連結する手段とし、左右に隣接する建て枠に足場板５５を掛け渡すために、第１の横架材１４の左右両側にて必要な角度開閉可能に配置される第２、第３の横架材１８、１９と、隣接建て枠を上記左右方向軸線から必要な角度ずらせ、又は左右方向軸線と一致させるために、建て枠の前後の一方にて第２、第３の横架材を開閉可能に軸支した開閉軸部２０、２１と、隣接建て枠を上記必要な角度に調節するために、建て枠の前後の他方にて第１の横架材に対する第２、第３の横架材の開閉角度を調節可能に設けた角度調節機構３０、３１を備えている。【選択図】          図２
2011190658.tif 000002
【特許請求の範囲】
【請求項１】
前後の柱体とそれらを結合する第１の横架材によって建て枠を形成し、上記建て枠を複数個、結合部材を用いて左右方向へ連結することによって設置する工事用足場において、
左右に隣接する建て枠を左右方向軸線から必要な角度を設けて、又は左右方向軸線と一致させて連結する手段として、
左右に隣接する建枠に足場板を掛け渡すために、第１の横架材の左右両側にて必要な角度開閉可能に配置される第２、第３の横架材と、
隣接建て枠を上記左右方向軸線から必要な角度ずらせ、又は左右方向軸線と一致させるために、建て枠の前後の一方にて第２、第３の横架材を開閉可能に軸支した開閉軸部と、
隣接建て枠を上記必要な角度に調節するために、建て枠の前後の他方にて第１の横架材に対する第２、第３の横架材の開閉角度を調節可能に設けた角度調節機構を備えている
工事用足場における連結角度の調節装置。
【請求項２】
角度調節機構として、角度調節方向に沿った複数個の調節部群を建て枠の左右両側に設けるとともに、上記調節部群に第２、第３の横架材を固定するための固定具を設けた請求項１記載の工事用足場における連結角度の調節装置。
【請求項３】
複数個の調節部群は、穴部の列又は凹凸部の列から成る請求項１記載の工事用足場における連結角度の調節装置。
【発明の詳細な説明】
【技術分野】
【０００１】
本発明は、建て枠を左右に連結して設置する工事用足場において、施工面の曲率に応じて建て枠の連結角度を変えることを可能にする調節装置に関するものである。
【背景技術】
【０００２】
例えば建築現場には、施工面を取り囲むようにして足場が設置される。足場は、左右一対の足場建て枠を、結合部材を用いて一体的に組み合わせ、左右に必要数連結した上で足場板を隣接建て枠間に渡した構成になっている。ここで足場は、細長い足場板をつないで施工面に対して設置するので、施工面が平面から成る場合には足場を直線状に組めば良いので問題は何も起こらない、しかし施工面が例えば円形壁面のような曲面を有している場合には、足場板をその長手方向軸線が曲面に沿って折れ線を描くように配置することになる。しかし、従来の足場は直線と直角の組み合わせを前提にしており、直線と直角以外の角度に変えるときは、特別の足場を組む必要があるが、特別の足場を組むにはあらかじめ用意されている定寸の資材では対応できない。そのため現場加工の必要も生じ、作業上余分な手間や時間を割かなければならないなど、様々な問題が出て来る。
【０００３】
これに対して特許文献上ではいくつかの技術的な提案がされており、例えば実開平５−８３１９０号は、直線以外の角度に変える足場装置を扱っている。しかしその装置は隣接する足場の角度差によって間に生じる間隙を塞ぐことが目的であり、一つの単位である足場板同士を結合することについては何も提案していない。また、実開昭５８−４４３４０号は、まさに円弧状枠組み足場を扱っており、細長鈑片と呼ばれる部材を足場用縦杆にクランプを用いて取り付け、細長鈑片に隣接受け枠を支える２個の指示部を設けてその一方が他方に対して廻動するように構成している。しかしここでも２個の指示部を設けていない反対側は何も固定されていない。そのため、従来の方式では、隣接する足場に角度差がある場合に両方とも固定したものがないので、少なくとも一方は常に動き得る状態にあるから、安全性に不安がある。
【０００４】
これに対して本件の発明者は、先に、前後の柱体とそれらを結合する横架材から成る建て枠を有し、上記建て枠を、結合部材を用いて結合し、左右方向へ連結することによって設置する工事用足場において、隣接建て枠を上記左右方向軸線から僅かな角度ずらせながら設置することによって、平面的に見て凸形状の曲面から成る施工面に対する工事に対応することができる連結角度の調節装置を開発した。同装置は、隣接建て枠を上記左右方向軸線から僅かな角度ずらせるために、建て枠の前後の柱体を結合する元々の横架材に対して第２の横架材を用意するとともに、これを基部にて軸止めし、また、先端部にて間隔調節可能に構成したものである。しかし、対応できる角度調節範囲が限られており、曲率半径の小さい施工面には向いていないということが指摘された。
【０００５】
【特許文献１】実開平５−８３１９０号
【特許文献２】実開昭５８−４４３４０号
【発明の開示】
【発明が解決しようとする課題】
【０００６】
本発明は前記の点に着目してなされたもので、その課題は、建て枠を左右に連結して設置する工事用足場において、施工面が曲面である場合に、曲率の変化が緩やかであるものにも、また、急激に変化するものにも容易に対応できるようにすることである。また本発明の他の課題は、建て枠の連結角度を変えることを可能にするとともに、施工面が平面である場合には直線を維持して設置することが可能な連結角度の調節装置を提供することである。また、本発明の他の課題は、建て枠の連結角度を変えるときも、変えないときと同様に、特別の足場を組むことなく連結角度の調節で対応可能とすることである。
【課題を解決するための手段】
【０００７】
前記の課題を解決するため、本発明は、前後の柱体とそれらを結合する第１の横架材によって建て枠を形成し、上記建て枠を複数個、結合部材を用いて左右方向へ連結することによって設置する工事用足場において、左右に隣接する建て枠を左右方向軸線から必要な角度を設けて、又は左右方向軸線と一致させて連結する手段として、左右に隣接する建枠に足場板を掛け渡すために、第１の横架材の左右両側にて必要な角度開閉可能に配置される第２、第３の横架材と、隣接建て枠を上記左右方向軸線から必要な角度ずらせ、又は左右方向軸線と一致させるために、建て枠の前後の一方にて第２、第３の横架材を開閉可能に軸支した開閉軸部と、隣接建て枠を上記必要な角度に調節するために、建て枠の前後の他方にて第１の横架材に対する第２、第３の横架材の開閉角度を調節可能に設けた角度調節機構を備えて構成するという手段を講じたものである。
【０００８】
本発明における工事用足場は、建築工事、建設工事その他様々な工事を行なうための足場をその対象とする。足場は、前後の柱体とそれらを結合する第１の横架材から成る建て枠を有し、この建て枠を左右方向へ結合部材を用いて連結することによって一体的に組み立てられている。なお、前後とは足場に向かって手前が前、向こうが後であり、左右は前後方向を基準として決めている（図１、図２参照）。
【０００９】
本発明の装置は、隣接建て枠を足場板の長手方向軸線から必要な角度を設けて、又は左右方向軸線と一致させて連結する手段を備えている。この連結する手段は、隣接建て枠を連結する手段であり、連結は、以下に説明するように建て枠の前後両部分について行う。隣接建て枠を連結する手段を構成するものの一つは、建て枠の前後の一方において、隣接建て枠を上記長手方向軸線から離すために開閉可能にする開閉軸部である。開閉軸部の軸側を一方の建て枠に設け、軸を受ける軸受けを他方の建て枠に設け、軸を軸受けに嵌めることで連結角度を変えられるとともに、隣接建て枠を前後一方の側にて連結する。
【００１０】
建て枠を連結する手段を構成するもう一つは、建て枠の前後の内の他方において、上記開閉によって開いた角度に隣接建て枠を固定する角度調節機構である。角度調節機構によって、隣接建て枠の開閉角度が一定に保持されるとともに、隣接する足場に角度差がある場合にも、又は左右方向軸線が一致していて角度差のない場合にも前後両方において固定され、安全性向上に寄与する。また、上記開閉軸部部分と角度調節機構部分は第２、第３の横架材の両端にそれぞれ設けられている。そして、左右（長手方向）に連結する建て枠特にその第２の横架材と第３の横架材に足場板を掛け止めることによって、最終的に足場として使用できるものになる。
【００１１】
上記角度調節機構は、隣接する一方の建て枠側に角度調節方向に沿って設けた複数個の調節部群と、隣接する他方の足場側に設けた上記調節部群に固定するための固定具によって構成されている。複数個の調節部群は、穴部の列から成るもの、又は例えばラックのような鋸歯状の凹凸に代表される凹部と凸部の列から成るものが望ましい。複数個の調節部群から成ることによって、各々の調節部の位置で角度調節されるため、長い溝状の調節部と異なりずれ動く恐れがない。
【００１２】
上記の構成によって、隣接建て枠を前後両位置において確固とした固定が可能になり、全ての建て枠が相互に固定されることになるから、本発明の装置によれば、構造体としての強度上も問題なく使用することができる。本発明において調節可能な隣接足場間の角度は大きいものではなく、せいぜい１０度未満を想定しているもので、強度上の要請からそれ以上の角度調節は好ましくない。
【００１３】
本発明の装置では、左右に隣接する建て枠を左右方向軸線から必要な角度を設けずに、左右方向軸線と一致させて連結することも可能であり、従って、平面から成る施工面に対応することができる。また、建て枠の前後を逆にすることによって凹曲面に対応することも当然可能であるから、本発明によって、凸曲面或いは凹曲面から成る施工面、凸曲面と凹曲面の混じった施工面、さらには凸曲面と凹曲面及び平面の混じった施工面に対する工事に対応することができる。そして、本発明に係る装置において、左右方向への連結部分に、例えば転落防止板を配置するなど他の構成を追加することも自由に行える。
【発明の効果】
【００１４】
本発明は以上のように構成されかつ作用するものであるから、建て枠を左右に連結して設置する工事用足場において、曲率の変化が緩やかであるものにも、また、急激に変化するものにも容易に対応することができ、施工面の変化に応じて建て枠の連結角度を変えることが、より一層容易に行えるようになる。また、本発明の装置によれば、建て枠の連結方向を変えるときに特別の足場を組む必要がなく、隣接建て枠同士を連結する角度を調節すれば良いので、短い段取り時間で足場の構築が可能である。また、本発明の装置によれば、建て枠の前後の一方に開閉軸部を備え、他方には角度調節機構を備えているので、開閉軸部の位置と角度調節機構の位置を前後入れ替えることによって、凸状の施工面にも、凹状の施工面にも、また、平面から成る施工面にも簡単に対応することができる。
【発明を実施するための最良の形態】
【００１５】
以下、図示の実施形態を参照して本発明をより詳細に説明する。図１は本発明の工事用足場における連結角度の調節装置の一例を示すもので、図１の例は、建築物の工事現場において、施工面Ｗを取り囲むようにして設置される足場１０を示している。
【００１６】
図示の工事用足場１０は、平面形状が凸曲面から成る施工面Ｗに対する建築工事を行なうための足場であって、足場は建て枠１１を連結して形成されており、各建て枠１１は、前後の柱体１２、１３と、それらを結合する第１の横架材１４から成る。建て枠１１は結合部材１５を用いて左右方向へ結合し、一体的に組み立てられている。なお、図１〜図３における前後方向は足場に向かって作業者のいる側が前Ｆ、施工面のある向こう側が後Ｂとし、左右Ｌ、Ｒは前後方向を基準とする。図示の場合、凸状の施工面から成る壁面の工事を対象としているので、開閉軸部を配置する側が前Ｆ、角度調節機構を配置する側が後Ｂになる（図２参照）。
【００１７】
前後の柱体１２、１３は、いわゆる鉄パイプの類から成り、通常、一定の長さを有し、上下の端部は継ぎ足しのための接続構造を備えている。また、第１の横架材１４は前後両端部にて前後の柱体１２、１３と溶接によって結合しており、これによって１個の独立した建て枠１１が形成されている。左右方向へ配置した上記建て枠１１を結合一体化して足場を組むために、結合部材１５が用いられる。結合部材１５は端部に長さ調節部材１５′を有しており、結合部材１５には長手方向の長孔１５ａが設けられ、長さ調節部材１５′に通すボルト１５ｂ及び締め付けナット１５ｃにより、隣接足場間隔の変化等に対応することができるように構成されている。また、結合部材１５は、通常はＸ字型に交叉して筋交いのように取り付けるために細長く形成された部材より成り、長さ調節部材１５′の端部には結合手段として軸孔１５ｄが形成され、軸孔１５ｄにて前後の柱体１２、１３に設けられた取り付け突起１６、１７に差し込み、結合部材１５に取り付けられる。取付け突起１６、１７には付属のフックがあり、それによって抜け止めがなされ、建て枠１１同士の結合が完成する。なお、鉄パイプ類から成る前後の柱体１２、１３は、その最下端に、図示しないが、ジャッキベースなどと呼ばれる高さ調整可能な台板を有している。
【００１８】
本発明の装置は、左右に隣接する建て枠１１、１１を足場板５５の長手方向軸線Ａ、Ａにて必要な角度Ｂを設けて連結する手段を備えている（図３参照）。連結の手段は、隣接する足場板５５の長手方向軸線Ａ、Ａを必要な角度Ｂだけずらせるために、各建て枠１１の第１の横架材１４の左右両側にて必要な角度開閉可能に配置する第２の横架材１８及び第３の横架材１９と、第２の横架材１８及び第３の横架材１９を回転によって開閉可能に取り付ける開閉軸部２０、２１と、開閉調節によって決定した角度Ｂに第２の横架材１８及び第３の横架材１９を固定する角度調節機構３０、３１を備えている。開閉軸部２０、２１と角度調節機構３０、３１とは、夫々第２の横架材１８、第３の横架材１９の前後両端部に夫々設けられており、図示の例において開閉軸部２０、２１は後部に位置し、角度調節機構３０、３１は前部に位置している。
【００１９】
開閉軸部２０、２１は、後部の柱体１３に後部クランプ２２、中間部材２２ａ及び後部フック２３を介して取り付けた左右一対の後部取付け部２４、２５に設けられており、後部取付け部２４、２５に、後部縦軸２６、２７を有している。図示の例では後部クランプ２２が開閉軸部２０、２１を後部の柱体１３に取り付ける手段であり、その左側面に中間部材２２ａが溶接され、中間部材２２ａの上部に左後部取付け部２４、後部フック２３、右後部取付け部２５が順に溶接されている。後部フック２３は正面形状が逆Ｕ字型、平面形状は左右の後部取付け部２４、２５と共に逆門の字型をなすもので、横架材１４の上に掛け止められる。第２の横架材１８及び第３の横架材１９の後端部にはボルト孔１８ａ、１９ａが開けられ、その部分で後部縦軸２６、２７に通してナット２８、２９によって抜け止めがなされる。
【００２０】
上記角度調節機構３０、３１は、前部の柱体１２に前部クランプ３２、前部フック３３を介して取り付けた左右一対の前部取付け部３４、３５に設けられている。図示の例では前部クランプ３２が角度調節機構３０、３１を前部の柱体１２に取り付ける手段であり、その左側面に中間部材３２ａが溶接され、中間部材３２ａの上部に左前部取付け部３４、フック３３、右前部取付け部５５が順に溶接されている。前部フック３３は正面形状が逆Ｕ字型、平面形状は左右の前部取付け部３４、３５と共にほぼ門の字型をなすもので、横架材１４の上に掛け止められる。角度調節機構３０、３１も開閉軸部２０、２１と同様にクランプ２２、３２を柱体１２、１３に対する取り付け手段としており、クランプネジの締め緩めによって着脱することが可能である。
【００２１】
上記前部取り付け部３４、３５には、左右方向に伸びる調節アーム３６、３７が溶接されており、左右調節アーム３６、３７は、角度調節方向に沿って設けた複数個の調節部群を有している。図示の例における調節アーム３６、３７は角筒型のものであり、その調節アーム３６、３７に沿って下面に穴部３８、３９の列が調節部群として設けられている。３６ａ、３７ａはストッパー板であり、受け部材４０、４１が抜け出さないように調節アーム３６、３７の端部に設けられている。さらに角度調節機構３０、３１を構成する要素として、調節アーム３６、３７に沿ってスライド可能な角枠型の受け部材４０、４１が、第２の横架材１８及び第３の横架材１９の前端部に夫々設けられている。図１ないし図６に示した複数個の調節部群である穴部３８、３９は、非貫通状の穴から成るもので、受け部材４０、４１にはメねじ部４２、４３が設けられ、ボルト４４、４５は固定具として穴部３８、３９にねじ込まれる。上記穴部３８、３９は、ねじ込み式の固定具であるボルト４４、４５の先端を受け止めるために、貫通していない穴から成り、想定される前記角度Ｂの範囲で所定の角度に固定できるように１〜１０度程度に設けられている。
【００２２】
角度調節機構３０、３１は、上記のごとく調節アーム３６、３７と受け部材４０、４１とを具備して構成されているが、この内の調節アーム３６、３７は足場板５５に掛かる荷重を負担する部材でもあり、そのために長過ぎると強度上の負担も増すので、隣接足場間における上記長手方向軸線Ａ、Ａの交差角度は最大１０度未満好ましくは５〜６度に収まるように、調節アーム２３ｂの長さを設定することが望まれる。従って、連結角度の調節にはおのずから制限があるので、調節角度が大きくなれば左右に角度調節機構３０、３１を設けることが絶対的に必要になる。開閉軸部２０、２１を設けた後部取り付け部２４、２５には後部クランプ２２が、前部取り付け部３４、３５にも前部クランプ３２が取り付けられており、これらはどちらも開閉な構成部材を軸結合し、開閉端に取り付けられているボルト、ナットのネジの締め緩めによって柱体１２、１３に締め付ける構造を有する公知のクランプを使用することができる。
また、角度調節機構として図６までの例では非貫通状の穴から成りボルトとの係合による固定構造を図示しているが、これに限らず公知のあらゆる段階的な或いは連続的な角度調節機構を適用することができる。例えば、図７及び図８はラックのような鋸歯状の凹凸に代表される、凹部４６と凸部４７の列から成る角度調節機構５０、５１を、左右の調節アーム３６、３７に設けた例を示す。この例では、凹部４６と凸部４７の列に噛み合う突状部分４８を受け部材４９の内部の上面に設け、受け部材４９のメねじ部５２にねじ込んだ固定具であるボルト５３の締め付けによって、上記角度に設定される前記角度Ｂの範囲で所定の角度に固定できるように設けられている。しかし、鋸歯状の凹凸を適用するこの例では、固定具であるボルト５３を上に配置し、その先端を凹部４６にねじ込んで固定することも可能である。
【００２３】
このように構成されている本発明の工事用足場１０においては、調節部群として穴部の列３８、３９又は凹凸部の列４６、４７から成るものの内で、どちらを採用しても、各々の調節部の位置で角度調節されるため、長い溝状の調節部と異なりずれ動く恐れがない。各図において、符号５５で示すものは足場板を示しており、両端に設けられているフック５４によって、隣接建て枠１１、１１の第２の横架材１８及び第３の横架材１９のどちらにも掛止めることができる。
【００２４】
本発明の工事用足場における連結角度の調節装置においては、目的とする施工面Ｗを取り囲むようにして、工事用足場１０を設置するために、隣接建て枠１１、１１に掛け止める足場板５５の長手方向軸線Ａ、Ａの交差する必要な角度Ｂに合わせて角度調節機構３０〜５１を調節し、隣接建て枠１１、１１を所定の角度ずらせて連結するとともに、その角度で配置された建て枠１１同士を、結合部材１５を用いて左右方向へ確実に連結することができ、夫々の建て枠１１に備わっている第２の横架材１８及び第３の横架材１９に、フック５４によって足場板５５を取り付け、施工面Ｗの曲率に正確に適合した形態に足場板５５を配置することができる。
【００２５】
本発明の装置では、建て枠１１の左右両方に開閉軸部２０、２１を備えており、角度調節機構３０〜５１を備えているので、上記した凸状の湾曲形態に加えて、開閉軸部２０、２１の位置と角度調節機構３０〜５１の位置とを前後入れ替えることによって、凹状の湾曲形態にも凸状の湾曲形態にも適合可能であり、凸状の施工面と凹状の施工面が変化する形態にも容易に対応することができる。特に、本発明の装置の場合、建て枠１１の左右に第２の横架材１８及び第３の横架材１９が備わっているとともに、第２の横架材１８及び第３の横架材１９による角度調節を左右均等にも、また、不均等にも配置することができるので、施工面Ｗの曲率が途中で変化する壁面にも容易に対応することができ、また、曲面変化のない平面から成る施工面Ｗに対しても適応することが可能である。
【００２６】
なお、本発明の装置は、第１の横架材１４に対して第２の横架材１８及び第３の横架材１９を平行に取り付けることによって、平面から成る施工面に対しても対応可能である。また、後部柱体１３に後部クランプ２２を用いて開閉軸部を設ける後部取り付け部２４、２５を取り付け、前部柱体１２にも前部クランプ３２を用いて角度調節機構を設ける前部取り付け３４、３５を取り付けており、これらのクランプ２２、３２には、ボルト、ナットのネジの締め緩めによって柱体１２、１３に締め付ける公知のクランプを使用することができるので、クランプ２２、３２を取り外して開閉軸部及び角度調節機構を撤去してしまい、足場板５５のフック５４を第１の横架材１４に直接掛ければ、単なる直線状の足場用として使用することができる。言い換えれば、一般に使用されている直線状の足場用の足場装置にクランプ２２、３２を用いて開閉軸部及び角度調節機構を取り付けることで、本発明の装置を構成することができるということでもある。
【図面の簡単な説明】
【００２７】
【図１】本発明に係る工事用足場における連結角度の調節装置を適用したものを示す平面説明図である。
【図２】同上の装置の例１を分解して示す斜視図である。
【図３】同上における隣接建て枠の配置角度を拡大して示す平面図である。
【図４】同上の装置の要部を拡大して示す平面図である。
【図５】同じく角度の調節を示す平面説明図である。
【図６】図５のＶＩ−ＶＩ線断面図である。
【図７】同じく本発明の装置の例２における角度の調節を示す平面説明図である。
【図８】図７のＶＩＩＩ−ＶＩＩＩ線断面図である。
【符号の説明】
【００２８】
１０  工事用足場
１１  建て枠
１２、１３  前後の柱体
１４  第１の横架材
１５  結合部材
１６、１７  取り付け突起
１８  第２の横架材  
１９  第３の横架材
２０、２１  開閉軸部
後部取り付け部
２２、３２  クランプ
２３、３３  フック
２４  後部取り付け部（左）
２５  後部取り付け部（右）
２６  後部縦軸（左）
２７  後部縦軸（右）
２８、２９  ナット
３０、３１、５０、５１  角度調節機構
３４  前部取り付け部（左）
３５  前部取り付け部（右）
３６、３７  調節アーム
３８、３９  穴部
４０、４１  受け部材
４２、４３、５２  メねじ部
４４、４５、５３  ボルト
４６  凹部
４７  凸部
４８  突状部分
４９  受け部材
５４  フック
５５  足場板
【図１】
2011190658.tif 000003
【図２】
2011190658.tif 000004
【図３】
2011190658.tif 000005
【図４】
2011190658.tif 000006
【図５】
2011190658.tif 000007
【図６】
2011190658.tif 000008
【図７】
2011190658.tif 000009
【図８】
2011190658.tif 000010